(57)【特許請求の範囲】
【請求項１】
緯糸を緯入れするための経糸の開口の形成領域の経糸送り出し側において、少なくとも緯入れ始端側の織幅端部における経糸列のうち複数回にわたって上開口状態に保たれる綾糸の開口始端のみを選択的に他の経糸列の開口範囲よりも外方に変更する織機における経糸張力調整方法。
【請求項２】
緯糸を緯入れするための経糸の開口の形成領域において、少なくとも緯入れ始端側の織幅端部における経糸列のうち複数回にわたって上開口状態に保たれる綾糸の開口始端のみを選択的に他の経糸の開口範囲よりも外方に変更する経糸経路変更手段を備えた織機における経糸張力調整装置。
【請求項３】
前記綾糸の開口始端は通常の経糸開口範囲の下限の下方に外されている請求項２に記載の織機における経糸張力調整装置。
【請求項４】
前記経糸経路変更手段は、経糸の開口始端を規制する開口始端規制体に支持されている請求項２及び請求項３のいずれか１項に記載の織機における経糸張力調整装置。
【請求項５】
前記経糸経路変更手段は、綾糸を案内するガイドローラを備えている請求項２乃至請求項４のいずれか１項に記載の織機における経糸張力調整装置。
【発明の詳細な説明】
【０００１】
【発明の属する技術分野】
本発明は、織機における経糸張力調整方法及び装置に関するものである。
【０００２】
【従来の技術】
経糸列の張力が織幅の中央部と織幅の端部とで異なることは周知の事実であり、織幅の端部の張力の方が織幅の中央部よりも低い。緩みやすい経糸が緯入れ始端側にある場合にはこの緩みやすい経糸の開口形成が所定の開口タイミングで良好に行われない場合があり、このような開口不良は緯糸の緯入れに悪影響を与える。
【０００３】
特開昭５８−１６９５４５号公報には織幅の端部の経糸列の張力を上げる装置が開示されている。この装置では、織幅端部の開口始端側の経糸列の経路を通常の経糸開口範囲の内側に入り込ませている。このような経路変更によって織幅端部の経糸張力の増加が図られ、織幅端部における開口形成不良の防止が図られている。
【０００４】
【発明が解決しようとする課題】
複数種類の経糸を用いて製織する場合、緩みやすい経糸の張力を上げて緩みを防止する必要はあるが、緩みにくい経糸の張力を必要以上に上げることは品質のよい織布を得る上で好ましくない。例えば、綾織物を製織する場合には複数回にわたって上開口状態に保たれる綾糸が存在するが、この綾糸は他の経糸に比べて開口運動が少なくなるために緩みが生じ易い。特開昭５８−１６９５４５号公報の装置では、緩みやすい経糸及び緩みにくい経糸の両方が織幅端部にある場合にはこれら両方の経糸の列の経路が同じように変更されてしまい、緩みにくい経糸の張力も増加してしまう。
【０００５】
特開平４−２４２４４号公報には、経糸の張力を経糸種類に応じて別々に付与する思想が開示されている。しかし、テンションローラでの張力制御では経糸開口部分への張力伝達に遅れが発生して充分な効果を上げるのが困難である。
【０００６】
本発明は、織幅端部における経糸列の張力低下の補償を経糸列に応じて選択し得るようにすることを目的とする。
【０００７】
【課題を解決するための手段】
そのために請求項１の発明では、緯糸を緯入れするための経糸の開口の形成領域の経糸送り出し側において、少なくとも緯入れ始端側の織幅端部における経糸列のうち複数回にわたって上開口状態に保たれる綾糸の開口始端のみを選択的に他の経糸列の開口範囲よりも外方に変更するようにした。
【０００８】
少なくとも緯入れ始端側の織幅端部における緩みやすい綾糸の列の開口始端のみを選択的に通常の経糸開口範囲から外せば、緯入れ始端側における緩みやすい綾糸の開口不良に起因する緯入れ不良は回避される。
【０００９】
請求項２の発明では、緯糸を緯入れするための経糸の開口の形成領域において、少なくとも緯入れ始端側の織幅端部における経糸列のうち複数回にわたって上開口状態に保たれる綾糸の開口始端のみを選択的に他の経糸の開口範囲よりも外方に変更する経糸経路変更手段を備えた経糸張力調整装置を構成した。
【００１０】
経糸経路変更手段によって経糸列の開口始端を通常の経糸開口範囲から外された綾糸の張力は増加する。綾糸の開口始端のみを通常の経糸開口範囲から外すようにした経糸経路変更手段の構成は、綾糸の列の開口始端のみを通常の経糸開口範囲から選択的に外すことを可能にする。
【００１１】
請求項３の発明では、前記綾糸の開口始端を通常の経糸開口範囲の下限の下方に外した。
開口の上側の経糸が緩み状態の場合に開口不良が生じやすい。綾糸の開口始端を通常の経糸開口範囲の下限の下方に外せば、開口の上側の綾糸の緩み状態が確実に防止される。
【００１２】
請求項４の発明では、経糸の開口始端を規制する開口始端規制体によって前記経糸経路変更手段を支持した。
前記開口始端規制体は経糸経路変更手段の支持手段として好適である。
【００１３】
請求項５の発明では、綾糸を案内するガイドローラを備えた前記経糸経路変更手段を構成した。
ガイドローラは綾糸の経路変更手段として好適である。
【００１４】
【発明の実施の形態】
以下、本発明をジェットルームに具体化した第１の実施の形態を図１〜図３に基づいて説明する。
【００１５】
図２は経糸切断検出装置１１の全体を示す。略楕円管状の一対の支持バー１２，１３の端部間は支持ブロック１４によって連結されている。支持ブロック１４は一対のブロック片１４１，１４２を締め付け接合して構成されている。一対の支持ブロック１４間には複数本のコンタクトバー１５が支持バー１２，１３と平行に架設されている。コンタクトバー１５の端部はブロック片１４１，１４２間に挟み込み支持されている。コンタクトバー１５はドロッパ１６に挿通されており、各ドロッパ１６は経糸Ｔ，Ｔ１，Ｔ２によって支持されている。経糸Ｔ，Ｔ１，Ｔ２が切断すると、ドロッパ１６がコンタクトバー１５上に落下して接触し、この接触によってコンタクトバー１５には電気が流れる。この電気流によって経糸切れが検出される。経糸切断検出装置１１は左右一対のサイドフレーム１７，１８間に架設されている。
【００１６】
図１に示すように、支持バー１２の上方には経糸押えバー２５が支持バー１２と平行に配設されている。経糸Ｔ，Ｔ１，Ｔ２は支持バー１２と経糸押えバー２５との間を案内される。綜絖枠２６に通された経糸Ｔ１，Ｔ２は綜絖枠２６の上下動によって開口を形成し、緯入れ用メインノズル２７から射出された緯糸（図示略）が経糸Ｔ，Ｔ１，Ｔ２の開口内へ緯入れされる。
【００１７】
図１及び図３に示すように、支持バー１２にはクランプ１９が嵌合されている。クランプ１９はボルト２０とナット２１との締め付けによって支持バー１２に固定されている。クランプ１９には取り付け片１９１が折曲形成されており、取り付け片１９１にはブラケット２２がボルト２３とナット２４との締め付けによって固定されている。ブラケット２２の先端部にはガイドローラ２８が支持されている。ガイドローラ２８の両端にはフランジ２８１が形成されている。ガイドローラ２８は緯入れ用メインノズル２７側、即ち緯入れ始端側の織幅端部における経糸Ｔ１，Ｔ２の列に対応して配置されている。
【００１８】
図３に示すように、緯入れ始端側の織幅端部における経糸Ｔ１，Ｔ２のうちの緩みやすい経糸Ｔ１（例えば綾糸）はガイドローラ２８の下側を通され、緩みにくい経糸Ｔ２はガイドローラ２８の上側を通されている。ガイドローラ２８は経糸Ｔ１を案内し、経糸Ｔはフランジ２８１によってガイドローラ２８からの外れを阻止されている。図１に示すように、経糸Ｔは緯入れ始端側の織幅端部以外の経糸であり、図１の上側の経糸Ｔの位置は経糸Ｔの開口範囲の上限の位置を表し、下側の経糸Ｔの位置は経糸Ｔの開口範囲の下限の位置を表す。図１の経糸Ｔの上限及び下限で規定される開口範囲は通常の開口範囲である。支持バー１２及び経糸押えバー２５は経糸Ｔの開口始端を規制する開口始端規制体である。経糸Ｔの開口形成領域は支持バー１２と織布Ｗの織前Ｗ１との間である。即ち、開口形成領域は開口始端と織前Ｗ１との間である。ガイドローラ２８は経糸Ｔの開口範囲の下限よりさらに下方に配置されている。
【００１９】
第１の実施の形態では以下の効果が得られる。
（１-1）クランプ１９及びブラケット２２と共に経糸経路変更手段を構成するガイドローラ２８は、緯入れ始端側の織幅端部における経糸Ｔ１の経路を他の経糸Ｔ，Ｔ２の経路とは異ならせる。図１の実線で示す経糸Ｔ１列の位置は経糸Ｔ１の開口範囲の上限を示し、鎖線で示す経糸Ｔ１列の位置は経糸Ｔ１の開口範囲の下限を示す。経糸Ｔ１の開口始端はガイドローラ２８と経糸Ｔ１との接触位置であり、経糸Ｔ１の開口始端は他の経糸Ｔ，Ｔ２の開口範囲から外方に外れている。この場合の外方は、経糸開口範囲の上限よりも上方、又は下限よりも下方のことである。経糸Ｔの開口範囲の下限よりさらに下方にガイドローラ２８を配置した構成は、複数種類の経糸Ｔ１，Ｔ２の列の開口始端を通常の経糸開口範囲から選択的に外すことを可能にする。緩みやすい経糸Ｔ１の列の開口始端を通常の経糸開口範囲から外された経糸Ｔ１の張力は増加し、経糸Ｔ１，Ｔ２列の開口形成は良好に行われる。
（１-2）開口の上側の経糸が緩み状態の場合に開口不良が生じやすい。経糸Ｔ１列の開口始端を通常の経糸開口範囲の下限の下方に外せば、経糸Ｔ１列の上側の経糸の緩み状態が防止される。
（１-3）ガイドローラ２８及びブラケット２２と共に経糸経路変更手段を構成するクランプ１９は、開口始端規制体である支持バー１２によって支持されている。支持バー１２は織幅方向に延びており、クランプ１９の取り付け位置を織幅方向に調整することができる。支持バー１２はクランプ１９の支持手段として好適である。
（１-4）支持バー１２は経糸切断検出装置１１の一部である。織物種類によってワープラインを変更することがあり、ワープラインの変更時には経糸切断検出装置１１の高さ位置も変更される。経糸切断検出装置１１の高さはねじ１１１を回動することによって調整できる。経糸切断検出装置１１の高さ位置を変更すれば支持バー１２の高さ位置も自動的に変更され、支持バー１２に支持されているガイドローラ２８の高さ位置をワープラインの変更に合わせて別に調整する必要がない。
（１-5）ガイドローラ２８は経糸Ｔ１を円滑に案内する。ガイドローラ２８は経糸Ｔ１列の経路変更手段として好適である。
（１-6）ブラケット２２はボルト２３及びナット２４を緩めることによって傾き具合を調整できる。ブラケット２２の傾き具合を調整すれば経糸Ｔ１列の経路を変更調整でき、経糸Ｔ１列の適正な張力補償が行える。
（１-7）緯入れ始端部分以外では緯糸先端の挙動が安定するため、経糸緩みによる緯入れミスが発生しにくくなる。従って、本実施の形態のような緯入れ始端部のみの経路変更でも充分な緯入れミス防止効果が得られると共に、例えば織幅全域にわたって緩み易い経糸を経路変更させる構成に比べて機仕掛け等の作業性が良い。
【００２０】
次に、図４の第２の実施の形態を説明する。第１の実施の形態と同じ構成部には同じ符号が付してある。
この実施の形態では、径の異なる複数の環状のガイド溝２９１を備えたガイドローラ２９が経糸経路変更手段として用いられている。経糸Ｔ１は各ガイド溝２９１によって案内される。ガイド溝２９１の径は織端ほど大きくしてある。経糸の張力は織端ほど低くなるため、径の異なる複数の環状のガイド溝２９１を備えたガイドローラ２９は経糸Ｔ１列の張力を均等化するうえで好適である。
【００２１】
次に、図５の第３の実施の形態を説明する。第１の実施の形態と同じ構成部には同じ符号が付してある。
サイドフレーム１７，１８間に架設された載置ステイ３０にはもじり耳形成装置３１，３２が載置されている。もじり耳形成装置３１，３２は織布Ｗの織端にもじり耳を形成するものである。載置ステイ３０の配設方向は織幅方向である。載置ステイ３０にはクランプ１９が支持されており、クランプ１９にブラケット２２を介して支持されたガイドローラ２８が経糸Ｔ列を案内している。
【００２２】
この実施の形態においても第１の実施の形態における（１-1）項、（１-2）項、（１-5）項、（１-6）項と同じ効果が得られる。
次に、図６の第４の実施の形態を説明する。第１の実施の形態と同じ構成部には同じ符号が付してある。
【００２３】
この実施の形態では、開口始端規制体である経糸押えバー２５にクランプ３３がボルト３４及びナット３５の締め付けによって固定されている。クランプ３３に折曲形成された取り付け片３３１にはブラケット３６がボルト３７及びナット３８の締め付けによって取り付けられており、ブラケット３６の先端部にはガイドローラ３９が取り付けられている。ガイドローラ３９は経糸Ｔの開口範囲の上限のさらに上方に配置されている。
【００２４】
クランプ３３及びブラケット３６と共に経糸経路変更手段を構成するガイドローラ３９は例えば経糸Ｔ１に隣合う経糸Ｔ３を案内する。このような経糸経路の変更の選択によって開口形成が更に良好に行われる。
【００２５】
本発明では、緯入れ始端側の織幅端部における経糸の列の開口始端を経糸列に応じて通常の経糸開口範囲から上方にのみ選択的に外すようにしてもよい。
又、本発明では、特開平４−３４０４７号公報に開示されるように、経糸の開口タイミングに合わせて緯入れ始端側の織幅端部における経糸列の経路を変更し、経糸の開口時には緯入れ始端側の織幅端部における経糸列の張力を増大するようにしてもよい。
【００２６】
さらに本発明では、緯入れ末端側の織幅端部における経糸列の経路を経糸列に応じて選択的に変更するようにしたり、織幅方向の任意位置における経糸列の経路を経糸列に応じて選択的に変更するようにしてもよい。
【００２７】
前記した実施の形態から把握できる発明について以下にその効果と共に記載する。
（１）開口始端規制体は、ドロッパの落下によって経糸切れを検出する経糸切断検出装置を構成する織機における経糸張力調整装置。
【００２８】
ワープラインの位置変更の際に経糸経路変更手段の高さ位置を別に変更する必要がない。
【００２９】
【発明の効果】
以上詳述したように本発明では、緯糸を緯入れするための経糸の開口の形成領域において、少なくとも緯入れ始端側の織幅端部における経糸列のうち複数回にわたって上開口状態に保たれる綾糸の開口始端を他の経糸列の開口範囲よりも外方に変更するようにしたので、織幅端部における綾糸のみに選択的に張力を付与することが可能になるという優れた効果を奏する。
【図面の簡単な説明】
【図１】第１の実施の形態を示す側断面図。
【図２】経糸切断検出装置を含む斜視図。
【図３】要部平面図。
【図４】第２の実施の形態を示す要部平面図。
【図５】第３の実施の形態を示す斜視図。
【図６】第４の実施の形態を示す側断面図。
【符号の説明】
１１…経糸切断検出装置、１２…開口始端規制体である支持バー、１９，３３…経糸経路変更手段を構成するクランプ、２２，３６…経糸経路変更手段を構成するブラケット、２８，３９…経糸経路変更手段を構成するガイドローラ、Ｔ，Ｔ１，Ｔ２，Ｔ３…経糸。
【図１】
0004018189.tif 000002
【図２】
0004018189.tif 000003
【図３】
0004018189.tif 000004
【図４】
0004018189.tif 000005
【図５】
0004018189.tif 000006
【図６】
0004018189.tif 000007